(57)【要約】【課題】  輝度、均一程度が高く、コストが低く、影像の品質を向上させ、使用寿命を延長し、利便に組み立てられ、パーツが容易に取換えられ、生産プロセスが簡易になるなどの効果が達成される玄関のインターホンの専用カラーパネルモジュールを提供する。【解決手段】  ＣＯＧタイプのＬＣＤパネル１で、ＴＡＢタイプのバックライトモジュール２に合わせて形成され、バックライトモジュール２は反射板２１、ランプ２２、光の案内板２３などの要素から構成され、反射板２１はほぼＶ型断面を持つ長方形のプラスチック板であり、その内面が凹んでランプの収容室２１１を形成し、反射板２１の片側にサイドカバー１４が突出するように設けられ、ほかの各側のエッジに皆フレーム２１５が設けられ、その内面の間に放置の空間が予めに用意され、放置の空間に光の案内板２３、ＬＣＤパネル１をその中にいれる玄関のインターホンの専用カラーパネルモジュールである。【選択図】    図３
0003103097.tif 000002
【実用新案登録請求の範囲】
【請求項１】
玄関のインターホンの専用カラーパネルモジュールにおいて、
ＣＯＧタイプのＬＣＤパネルであり、ＴＡＢタイプのバックライトモジュールに合わせて形成され、バックライトモジュールは直下式の設計を採用して、反射板、ランプ、光の案内板を有し、反射板はほぼＶ型断面を持つ長方形のプラスチック板であり、その内面が凹んでランプの収容室を形成し、反射板の片側にサイドカバーが突出するように設けられ、他の各側のエッジにそれぞれフレームが設けられ、その内面の間に放置の空間が予め用意され、放置の空間は光の案内板、ＬＣＤパネルと同じ長さ、広さを有し、両者はその中に収容され、
光の案内板の底面、上面の周縁がそれぞれ反射板の表面およびＬＣＤパネルの背面に粘着されて、玄関のインターホンの専用カラーパネルモジュールが構成されることを特徴とする玄関のインターホンの専用カラーパネルモジュール。
【考案の詳細な説明】
【技術分野】
【０００１】
本考案は、玄関のインターホンの専用カラーパネルモジュールに関するものである。
【背景技術】
【０００２】
パネルモジュールは玄関のインターホンの影像顕示の機能を提供する主要なコンポネットであり、主にＬＣＤパネル、バックライトモジュールなどの要素から形成される。
従来から、既存のパネルモジュールのＬＣＤガラスに関する製造技術はＴＡＢ(TAPE  AUTOMATED  BONDING)およびＣＯＧ（CHIP  ON  GLASS）に分けられる。大きなサイズのパネルの生産量が多く、しかも求められる厚さがより薄いので、現今のＬＣＤガラスはほぼＣＯＧの型式で製造される。それに対して、ＴＡＢ型式の製造者は少なく、殆ど生産しない。ゆえに、玄関インターホンに使われるものは図１に示すようなＣＯＧ型式のパネルモジュールを採用する。そのようなパネルモジュールのバックライト（Ｂ）は通常サイドライトの方式で設計され、ライトソースの冷陰極管（Ｂ１）がＬＣＤパネル（Ａ）の側辺に配置される。レンズ、拡散板などに合わせて、ＬＣＤパネル（Ａ）の影像顕示用のライトソースを提供する。
【考案の開示】
【考案が解決しようとする課題】
【０００３】
そのようなサイドライト方式のバックライトモジュール（Ｂ）は、薄型化、薄いサイズ、電力損耗低など利点がある。小さいタイプ、携行できる製品に適用するが、相対的に値段が高いばかりでなく、光の利用率が低く、輝度が足りなく、輝度の均一程度も制御し難い。さらには、冷陰極管（Ｂ１）が損壊すれば取換えがとても不便だといえる。
【０００４】
ＴＡＢ型式ならば、図２に示すように、バックライトモジュール（Ｄ）は通常、直下式の設計が採用される。つまり、ランプ（Ｄ１）がＬＣＤパネル（Ｃ）の下方に配置され、ＬＣＤパネル（Ｃ）の影像顕示用のライトソースを提供する。較べて見ると、直下式のバックライトモジュール（Ｄ）は光の利用率が高い、輝度が高い、値段が安いなど利点があるが、相対的に、その厚さ、体積が大きく、電力損耗もランプ（Ｄ１）の長さの増加に応じて増える。
【０００５】
したがって、本考案の主な目的は玄関のインターホンの専用カラーパネルモジュールを提供することにある。それは、前掲の両方の欠点を改善し、輝度、均一程度が高く、コストが低く、影像の品質を向上させ、使用寿命を延長し、利便に組み立てられ、パーツが容易に取換えられ、生産プロセスが簡易になるなど効果が有効的に達成される。
【課題を解決するための手段】
【０００６】
上記課題を解決するための本考案の玄関のインターホンの専用カラーパネルモジュールは、ＣＯＧタイプのＬＣＤパネルで、ＴＡＢタイプのバックライトモジュールに合わせて形成され、バックライトモジュールは直下式の設計を採用して、反射板、ランプ、光の案内板などの要素から構成され、反射板はほぼV型断面を持つ長方形のプラスチック板であり、その内面が凹んでランプの収容室を形成し、反射板の片側にサイドカバーが突出するように設けられ、ほかの各側のエッジに皆フレームが設けられ、その内面の間に放置の空間が予めに用意され、放置の空間は光の案内板、ＬＣＤパネルと同じ長さ、広さを持つので、両者をその中にいれる。
【考案を実施するための最良の形態】
【０００７】
本考案の目的、特徴および効果などを、以下にさらに具体的な実施例に図面を合わせて詳しく説明する。
本考案は上述目的を達成するために、特殊な構造設計を採用する。
同時に図３、図４を参照する。本考案の一実施例によるパネルモジュールは同様にＬＣＤパネル１、バックライトモジュール２から組成される。それらはそれぞれ玄関インターホンの影像顕示機能、影像顕示に必要なライトソースを提供する。ＬＣＤパネル１はＣＯＧ型式のパネルモジュールである。バックライトモジュール２は直下式の設計を採用して、しかも、ＬＣＤパネル１の下方に配置される。バックライトモジュール２は反射板２１、ランプ２２、光の案内板２３などの要素から形成される。反射板２１はほぼＶ型断面を持つ長方形のプラスチック板であり、その内面が凹んで、ランプの収容室２１１を形成する。ランプの収容室２１１の中央には、仕切りバー２１２が突出してある。そして、ランプ２２がそれぞれ仕切りバー２１２の両側の収容室に配置される。また、ランプの収容室２１１の各周辺に上へ拡張される稜形面が形成されるので、光の利用率が強化できる。その片側の稜面に、二つの貫通穴２１３がある。二つの貫通穴２１３はそれぞれランプ２２のワイヤの出口に対応するように設置されるので、ランプ２２のワイヤがその間を通過する。稜面の側に、サイドカバー２１４が突出するように設けられる。サイドカバー２１４は三面がクローズされ、底部が開放されているカバーであり、ランプの収容室２１１のトップエッジの少し外側に配置され、反射板２１のエッジに沿って設置される。その内部に、ワイヤ放置溝が用意され、貫通穴２１３から通したランプ２の電源ワイヤをその中に放置する（図面に示せず）。反射板２１のほかの各側のエッジに、皆、フレーム２１５が突出してある。各フレーム２１５はすべてランプの収容室２１１のトップエッジの外側に配置される。それとサイドカバー２１４の内面との間に光の案内板２３、ＬＣＤパネル１との同じ長さ、広さという放置空間が予め用意され、光の案内板２３、ＬＣＤパネル１をその中にいれるので、相互によく組み立てられる。その次に、フレーム２１５とＬＣＤパネル１の排列線１１との対応する位置にノッチ２１６を加工し、排列線１１を通す。
【０００８】
光の案内板２３は透明のアクリル材質で作られ、その周縁が反射板２１におけるランプの収容室２１１の外側とサイドカバー２１４、フレーム２１５との間に粘着され、結合される。その底面の反射面において、ランプ２２の対応するエリアに弧形の拡散面２３１がある。よって、ランプ２２の入射光源の散光性を調整しながらランプ２２の正上方の輝度を低降させ、上面から反射される光が均一になってＬＣＤパネル１の影像顕示の必要な平面光源が提供される。さらに、光の案内板２３の上面周縁はＬＣＤパネル１の背面に粘着される。そして、玄関のインターホンの専用カラーパネルモジュールが完全に構成される。
【０００９】
本考案の構造を応用する場合に、主にＣＯＧ型式のパネルモジュールのＬＣＤパネル１を利用して、ＴＡＢ型式のパネルモジュールの直下式のバックライトモジュール２に合わせて、影像の顕示機能を提供する。そして、ユーザが来客の容貌を識別するという効果を遂げる。結局、本考案はＣＯＧ型式のパネルモジュールを使ったサイドライトタイプのバックライトモジュールを採用する現今の玄関のインターホンと較べれば、明らかに、輝度が均一で、輝度がより高いので、影像の品質が向上される。また、本考案のバックライトモジュール２は単純に、反射板２１、ランプ２２、光の案内板２３から組み立てられるので、従来から既存のＣＯＧ型式のパネルモジュールのバックライトモジュールと較べれば、稜形の鏡、拡散板などコストの５０％を占める高いプライスのパーツを有効的に省いて、コストおよび販売値段を充分に低降させることができる。特に、本考案の組成パーツは簡単なので、生産のプロセスが簡易化されるだけでなく組み立ても利便となり、ランプ２２などパーツが損壊したときに取り替えることができる。さらに、本考案は反射板２１、光の案内板２３の特殊設計を採用するので、従来から既存のＴＡＢ型式のパネルモジュールのバックライトモジュールと較べれば組み立てが簡易なので、生産コストを低降させる効果もある。よって、本考案の産業の利用価値がはっきり見える。
【００１０】
その他、本考案のパネルモジュールが従来ＣＯＧ型式のパネルモジュールの厚さより少し大きく（厚さが０．５ｃｍ増加される）、電力の損耗もランプ２２の長さの増加により少々アップするが、輝度がより高い。玄関のインターホンにとって、携行の製品ではなくて、厚さの増加は使用の利便性に影響を及ぼさないので、あまり気にかけなくてよい。また、ランプ２２が来客とユーザとが通話しているうちだけにつけられてほぼ消燈するので、電力の消耗も有限だといえる。ちなみに、本考案はＣＯＧ型式のＬＣＤパネル１で、ＴＡＢ型式のバックライトモジュール２に合わせるという構造設計を採用して、類似性質の自動車テレビ、パチンコにも適用できる。勿論、類似な同類製品に単純に応用しても、本考案の実用新案登録請求の範囲に含まれる。
【図面の簡単な説明】
【００１１】
【図１】従来の既存ＣＯＧ型式のパネルモジュールを示す分解斜視図である。
【図２】従来の既存ＴＡＢ型式のパネルモジュールを示す分解斜視図である。
【図３】本考案の一実施例による玄関のインターホンの専用カラーパネルモジュールを示す分解斜視図である。
【図４】本考案の一実施例による玄関のインターホンの専用カラーパネルモジュールを示す断面図である。
【符号の説明】
【００１２】
１  ＬＣＤパネル、２  バックライトモジュール、２１  反射板、２２  ランプ、２３  光の案内板、２１１  ランプの収容室、２１２  仕切りバー、２１３  貫通穴、２１４  サイドカバー、２１５  フレーム、１１  排列線、２１６  ノッチ、２３１  拡散面
【図１】
0003103097.tif 000003
【図２】
0003103097.tif 000004
【図３】
0003103097.tif 000005
【図４】
0003103097.tif 000006